(57)【特許請求の範囲】
【請求項１】
ＲＰＬＭＮ情報を更新するための方法であって、
利用可能なＰＬＭＮ識別子セットからＰＬＭＮ識別子を選択するステップであって、前記利用可能なＰＬＭＮ識別子セットは、前記ＲＰＬＭＮ情報、ＨＰＬＭＮ情報、ＵＰＬＭＮ情報、およびＯＰＬＭＮ情報に個別に含まれるＰＬＭＮ識別子を含む、該ステップと、
前記選択したＰＬＭＮ識別子を担持するロケーション更新要求メッセージをモバイルスイッチングセンタに送信するステップと、
前記ロケーション更新要求メッセージに従って前記モバイルスイッチングセンタによって返される一時的識別情報ＴＭＳＩ再割り当てコマンドが取得された後、前記ロケーション更新要求メッセージに従って前記モバイルスイッチングセンタによって返されるロケーション更新受理情報が現在取得されているかどうかを決定するステップと、
前記ロケーション更新受理情報が取得された場合、前記ＲＰＬＭＮ情報に含まれる前記ＰＬＭＮ識別子を前記選択したＰＬＭＮ識別子に更新するステップ、または、前記ロケーション更新受理情報が取得されなかった場合、前記ＲＰＬＭＮ情報に含まれる前記ＰＬＭＮ識別子を前記選択したＰＬＭＮ識別子に更新する動作をスキップするステップであって、前記動作は前記ＴＭＳＩ再割り当てコマンドによってトリガされる、スキップするステップと
を具えたことを特徴とする方法。
【請求項２】
利用可能なＰＬＭＮ識別子セットから前記ＰＬＭＮ識別子を選択する前記ステップのための優先順位は、前記ＲＰＬＭＮ情報中の前記ＰＬＭＮ識別子、前記ＨＰＬＭＮ情報中の前記ＰＬＭＮ識別子、前記ＵＰＬＭＮ情報中の前記ＰＬＭＮ識別子、および前記ＯＰＬＭＮ情報中の前記ＰＬＭＮ識別子であることを特徴とする請求項１に記載の方法。
【請求項３】
ＰＬＭＮ識別子を担持するロケーション更新要求メッセージをモバイルスイッチングセンタに送信する前記ステップの後に、
前記ロケーション更新要求メッセージに従って前記モバイルスイッチングセンタによって返されるロケーション更新拒否情報が取得される場合、前記利用可能なＰＬＭＮ識別子セットから別のＰＬＭＮ識別子を再選択し、前記再選択されたＰＬＭＮ識別子を担持するロケーション更新要求メッセージを前記モバイルスイッチングセンタへ送信するステップ
をさらに含むことを特徴とする請求項１に記載の方法。
【請求項４】
前記ロケーション更新要求メッセージに従って前記モバイルスイッチングセンタによって返された前記ロケーション更新拒否情報が取得された後、
前記ＰＬＭＮ識別子と同じＰＬＭＮ識別子が前記ＲＰＬＭＮ情報に記録されているかどうかを決定するステップと、
前記ＰＬＭＮ識別子と同じＰＬＭＮ識別子が前記ＲＰＬＭＮ情報に記録されている場合、前記ＲＰＬＭＮ情報から前記ＰＬＭＮ識別子を削除するステップと
をさらに含むことを特徴とする請求項３に記載の方法。
【請求項５】
前記ＴＭＳＩ再割り当てコマンドは前記ＰＬＭＮ識別子を担持し、
前記ＲＰＬＭＮ情報に含まれる前記ＰＬＭＮ識別子を前記選択したＰＬＭＮ識別子に更新する前記ステップは、
前記ＲＰＬＭＮ情報に含まれる前記ＰＬＭＮ識別子を、前記ＴＭＳＩ再割り当てコマンド内に担持される前記ＰＬＭＮ識別子に更新するステップ
を含むことを特徴とする請求項１に記載の方法。
【請求項６】
前記ＲＰＬＭＮ情報は加入者識別モジュールＳＩＭカードのカードファイルＥＦ＿ＬＯＣＩに記憶されることを特徴とする請求項１ないし５のいずれか一項に記載の方法。
【請求項７】
以下の優先順位、すなわち、ＲＰＬＭＮ情報、ＨＰＬＭＮ情報、ＵＰＬＭＮ情報、およびＯＰＬＭＮ情報に従って、前記ＲＰＬＭＮ情報、前記ＨＰＬＭＮ情報、前記ＵＰＬＭＮ情報、および前記ＯＰＬＭＮ情報からＰＬＭＮ識別子を順次選択するように構成されたネットワークコード選択モジュールと、
前記ＰＬＭＮ識別子を担持するロケーション更新要求メッセージをモバイルスイッチングセンタに送信するように構成された要求メッセージ送信モジュールと、
前記ロケーション更新要求メッセージに従って前記モバイルスイッチングセンタによって返されるＴＭＳＩ再割り当てコマンドが取得された後、前記ロケーション更新要求メッセージに従って前記モバイルスイッチングセンタによって返されるロケーション更新受理情報が現在取得されているかどうかを決定するように構成された受理情報決定モジュールと、
前記ロケーション更新受理情報が取得された場合、前記ＲＰＬＭＮ情報に含まれる前記ＰＬＭＮ識別子を前記選択したＰＬＭＮ識別子に更新する、または、前記ロケーション更新受理情報が取得されなかった場合、前記ＲＰＬＭＮ情報に含まれる前記ＰＬＭＮ識別子を前記選択したＰＬＭＮ識別子に更新する動作をスキップし、前記動作は前記ＴＭＳＩ再割り当てコマンドによってトリガされるように構成された更新ポリシー実行モジュールと
を具えたことを特徴とするユーザ機器。
【請求項８】
前記ユーザ機器は、
前記ロケーション更新要求メッセージに応じた前記モバイルスイッチングセンタによって返されたロケーション更新拒否情報が取得される場合、別のＰＬＭＮ識別子を再選択するように構成されたネットワークコード再選択モジュールであって、前記要求メッセージ送信モジュールは、前記再選択されたＰＬＭＮ識別子を担持するロケーション更新要求メッセージの、前記モバイルスイッチングセンタへの送信を実施するようにさらに構成される、ネットワークコード再選択モジュール
をさらに具えたことを特徴とする請求項７に記載のユーザ機器。
【請求項９】
前記ＴＭＳＩ再割り当てコマンドは前記ＰＬＭＮ識別子を担持し、
前記更新ポリシー実行モジュールは、前記ＲＰＬＭＮ情報に含まれる前記ＰＬＭＮ識別子を、前記ＴＭＳＩ再割り当てコマンド内に担持される前記ＰＬＭＮ識別子に更新するように構成されることを特徴とする請求項７に記載のユーザ機器。
【請求項１０】
前記ＲＰＬＭＮ情報はＳＩＭカードのカードファイルＥＦ＿ＬＯＣＩに記憶されることを特徴とする請求項７ないし９のいずれか一項に記載のユーザ機器。
【発明の詳細な説明】
【技術分野】
【０００１】
本発明は通信技術の分野に関し、より詳細には、ＲＰＬＭＮ情報を更新するための方法、およびユーザ機器に関する。
【背景技術】
【０００２】
通信技術のたゆまぬ発展により、モバイル通信は、全世界のユーザによって広く使用される通信手法になってきている。モバイル通信を確立する前、モバイル端末などのＵＥ（Ｕｓｅｒ  Ｅｑｕｉｐｍｅｎｔ（ユーザ機器））は、ＰＬＭＮ（Ｐｕｂｌｉｃ  Ｌａｎｄ  Ｍｏｂｉｌｅ  Ｎｅｔｗｏｒｋ（公衆ランドモバイルネットワーク））識別子を選択して、ＭＳＣ（Ｍｏｂｉｌｅ  Ｓｗｉｔｃｈｉｎｇ  Ｃｅｎｔｅｒ（モバイルスイッチングセンタ））に正常に登録することが必要であり、したがって、ＵＥは、音声サービスまたはデータサービスなどのモバイル通信サービスを正常に実行することができる。ユーザ機器がＰＬＭＮ識別を迅速に選択し、正常に登録する助けとなるために、電源投入時、ユーザ機器は、ＳＩＭ（Ｓｕｂｓｃｒｉｂｅｒ  Ｉｄｅｎｔｉｔｙ  Ｍｏｄｕｌｅ（加入者識別モジュール））カードのカードファイルＥＦ＿ＬＯＣＩ内に記憶されたＰＬＭＮ識別子、すなわち、ＲＰＬＭＮ（Ｒｅｇｉｓｔｅｒｅｄ  ＰＬＭＮ（登録済み公衆ランドモバイルネットワーク））情報中のＰＬＭＮ識別子を優先的に選択する。ＰＬＭＮ識別子は、それを使用してユーザ機器が最後の電源切断の前に最後にモバイルスイッチングセンタへの登録を開始するＰＬＭＮ識別子である。
【０００３】
既存の３ＧＰＰ（３ｒｄ  Ｇｅｎｅｒａｔｉｏｎ  Ｐａｒｔｎｅｒｓｈｉｐ  Ｐｒｏｊｅｃｔ（第３世代パートナーシッププロジェクト））プロトコルでは、ユーザ機器は、ロケーション更新要求メッセージを使用することによって、選択されたＰＬＭＮ識別子をモバイルスイッチングセンタに送信する。モバイルスイッチングセンタは、ロケーション更新要求メッセージに従って、ＴＭＳＩ（Ｔｅｍｐｏｒａｒｙ  Ｍｏｂｉｌｅ  Ｓｕｂｓｃｒｉｂｅｒ  Ｉｄｅｎｔｉｔｙ（一時的識別情報））再割り当てコマンド、ロケーション更新受理情報、またはロケーション更新拒否情報をユーザ機器に返す。ＴＭＳＩ再割り当てコマンドまたはロケーション更新受理情報を取得した後、ユーザ機器は、ＳＩＭカードのカードファイルＥＦ＿ＬＯＣＩすなわちＲＰＬＭＮ情報に対して、選択されたＰＬＭＮ識別子を更新し、したがって、ユーザ機器は、次の電源投入時にＰＬＭＮ識別子をカードファイルＥＦ＿ＬＯＣＩから直接的に取得し、登録を開始することができる。上記から、ユーザ機器は、カードファイルＥＦ＿ＬＯＣＩに対してＰＬＭＮ識別子を少なくとも２回更新し、これは、モバイルネットワークにユーザ機器を登録する効率を低下させることが分かる。
【発明の概要】
【発明が解決しようとする課題】
【０００４】
本発明は、ＲＰＬＭＮ情報を更新するための改善された方法、およびユーザ機器を提供することにある。
【課題を解決するための手段】
【０００５】
本発明の実施形態は、ＲＰＬＭＮ情報を更新するための方法と、ユーザ機器を提供し、モバイルネットワークにユーザ機器を登録する効率を改善することができる。
【０００６】
本発明の実施形態の第１の態様は、
公衆ランドモバイルネットワークＰＬＭＮ識別子を担持するロケーション更新要求メッセージをモバイルスイッチングセンタに送信することと、
ロケーション更新要求メッセージに従ってモバイルスイッチングセンタによって返される一時的識別情報ＴＭＳＩ再割り当てコマンドが取得された後、ロケーション更新要求メッセージに従ってモバイルスイッチングセンタによって返されるロケーション更新受理情報が現在取得されているかどうかを決定することと、
ロケーション更新受理情報が取得された場合、登録済み公衆ランドモバイルネットワークＲＰＬＭＮ情報に対してＰＬＭＮ識別子を更新すること、または、ロケーション更新受理情報が取得されなかった場合、ＲＰＬＭＮ情報に対してＰＬＭＮ識別子を更新する動作をスキップすることであって、この動作はＴＭＳＩ再割り当てコマンドによってトリガされる、スキップすることと
を含む、ＲＰＬＭＮ情報を更新するための方法を提供する。
【０００７】
第１の態様の第１の可能な実装手法では、ＰＬＭＮ識別子を担持するロケーション更新要求メッセージをモバイルスイッチングセンタに送信する前に、この方法は、
利用可能なＰＬＭＮ識別子セットからＰＬＭＮ識別子を選択すること
をさらに含み、
この利用可能なＰＬＭＮ識別子セットは、ＲＰＬＭＮ情報、ホーム公衆ランドモバイルネットワークＨＰＬＭＮ情報、ユーザにより選択された公衆ランドモバイルネットワークＵＰＬＭＮ情報、およびオペレータにより提供された公衆ランドモバイルネットワークＯＰＬＭＮ情報に個別に含まれるＰＬＭＮ識別子を含む。
【０００８】
第１の態様および第１の態様の第１の可能な実装手法を参照して、第２の可能な実装手法では、利用可能なＰＬＭＮ識別子セットからＰＬＭＮ識別子を選択するための優先順位は、ＲＰＬＭＮ情報中のＰＬＭＮ識別子、ＨＰＬＭＮ情報中のＰＬＭＮ識別子、ＵＰＬＭＮ情報中のＰＬＭＮ識別子、およびＯＰＬＭＮ情報中のＰＬＭＮ識別子である。
【０００９】
第１の態様および第１の態様の第１の可能な実装手法を参照して、第３の可能な実装手法では、ＰＬＭＮ識別子を担持するロケーション更新要求メッセージをモバイルスイッチングセンタに送信した後、方法は、
ロケーション更新要求メッセージに従ってモバイルスイッチングセンタによって返されるロケーション更新拒否情報が取得される場合、利用可能なＰＬＭＮ識別子セットから別のＰＬＭＮ識別子を再選択し、この再選択されたＰＬＭＮ識別子を担持するロケーション更新要求メッセージの、モバイルスイッチングセンタへの送信を実施すること
をさらに含む。
【００１０】
第１の態様および第１の態様の第３の可能な実装手法を参照して、第４の可能な実装手法では、ロケーション更新要求メッセージに従ってモバイルスイッチングセンタによって返されるロケーション更新拒否情報が取得された後、方法は、
ＰＬＭＮ識別子と同じＰＬＭＮ識別子がＲＰＬＭＮ情報に記録されているかどうかを決定することと、
ＰＬＭＮ識別子と同じＰＬＭＮ識別子がＲＰＬＭＮ情報に記録されている場合、ＲＰＬＭＮ情報からＰＬＭＮ識別子を削除することと
をさらに含む。
【００１１】
第１の態様の可能な実装手法を参照して、第５の可能な実装手法では、ＴＭＳＩ再割り当てコマンドはＰＬＭＮ識別子を担持し、
ＲＰＬＭＮ情報に対してＰＬＭＮ識別子を更新することは、
ＲＰＬＭＮ情報に対して、ＴＭＳＩ再割り当てコマンド内に担持されるＰＬＭＮ識別子を更新すること
を含む。
【００１２】
第１の態様および第１の態様の第１から第６の可能な実装手法のいずれか１つを参照して、第７の可能な実装手法では、ＲＰＬＭＮ情報は、加入者識別モジュールＳＩＭカードのカードファイルＥＦ＿ＬＯＣＩに記憶される。
【００１３】
本発明の実施形態の第２の態様はコンピュータ記憶媒体を提供し、プログラムは、このコンピュータ記憶媒体に記憶され、実行されているとき、プログラムは、第１の態様において提供されるＲＰＬＭＮ情報を更新するための方法のステップの一部またはすべてを実施する。
【００１４】
本発明の実施形態の第３の態様はユーザ機器を提供し、このユーザ機器は、
ＰＬＭＮ識別子を担持するロケーション更新要求メッセージをモバイルスイッチングセンタに送信するように構成された要求メッセージ送信モジュールと、
ロケーション更新要求メッセージに従ってモバイルスイッチングセンタによって返されるＴＭＳＩ再割り当てコマンドが取得された後、ロケーション更新要求メッセージに従ってモバイルスイッチングセンタによって返されるロケーション更新受理情報が現在取得されているかどうかを決定するように構成された受理情報決定モジュールと
ロケーション更新受理情報が取得された場合、ＲＰＬＭＮ情報に対してＰＬＭＮ識別子を更新する、または、ロケーション更新受理情報が取得されなかった場合、ＲＰＬＭＮ情報に対してＰＬＭＮ識別子を更新する動作をスキップし、この動作はＴＭＳＩ再割り当てコマンドによってトリガされるように構成された更新ポリシー実行モジュールと
を含む。
【００１５】
第３の態様の第１の可能な実装手法では、ユーザ機器は、
以下の優先順位、すなわち、ＲＰＬＭＮ情報、ＨＰＬＭＮ情報、ＵＰＬＭＮ情報、およびＯＰＬＭＮ情報に従って、ＲＰＬＭＮ情報、ＨＰＬＭＮ情報、ＵＰＬＭＮ情報、およびＯＰＬＭＮ情報からＰＬＭＮ識別子を順次選択するように構成されたネットワークコード選択モジュールと
をさらに含む。
【００１６】
第３の態様および第３の態様の第１の可能な実装手法を参照して、第２の可能な実装手法では、ユーザ機器は、
ロケーション更新要求メッセージに応じたモバイルスイッチングセンタによって返されたロケーション更新拒否情報が取得される場合、別のＰＬＭＮ識別子を再選択するように構成されたネットワークコード再選択モジュールであって、要求メッセージ送信モジュールは、再選択されたＰＬＭＮ識別子を担持するロケーション更新要求メッセージの、モバイルスイッチングセンタへの送信を実施するようにさらに構成される、ネットワークコード再選択モジュール
をさらに含む。
【００１７】
第３の態様の可能な実装手法を参照して、第３の可能な実装手法では、ＴＭＳＩ再割り当てコマンドはＰＬＭＮ識別子を担持し、
更新ポリシー実行モジュールは、ＲＰＬＭＮ情報に対して、ＴＭＳＩ再割り当てコマンド内に担持されるＰＬＭＮ識別子を更新するように構成される。
【００１８】
第３の態様および第３の態様の第１から第３の可能な実装手法のいずれか１つを参照して、第４の可能な実装手法では、ＲＰＬＭＮ情報は、ＳＩＭカードのカードファイルＥＦ＿ＬＯＣＩに記憶される。
【００１９】
本発明の実施形態の第４の態様はユーザ機器を提供し、このユーザ機器は、無線信号送受信装置と、メモリと、プロセッサとを備え、プログラムのセットはメモリに記憶され、プロセッサは、メモリに記憶されたプログラムを起動して、以下の動作、すなわち、
ＰＬＭＮ識別子を担持するロケーション更新要求メッセージをモバイルスイッチングセンタに送信することと、
ロケーション更新要求メッセージに従ってモバイルスイッチングセンタによって返されるＴＭＳＩ再割り当てコマンドが取得された後、ロケーション更新要求メッセージに従ってモバイルスイッチングセンタによって返されるロケーション更新受理情報が現在取得されているかどうかを決定することと、
ロケーション更新受理情報が取得された場合、ＲＰＬＭＮ情報に対してＰＬＭＮ識別子を更新すること、または、ロケーション更新受理情報が取得されなかった場合、ＲＰＬＭＮ情報に対してＰＬＭＮ識別子を更新する動作をスキップすることであって、この動作はＴＭＳＩ再割り当てコマンドによってトリガされる、スキップすること
を実行するように構成される。
【００２０】
上記から、本発明の実施形態では、ユーザ機器は、ロケーション更新要求メッセージに従ってモバイルスイッチングセンタによって返されるＴＭＳＩ再割り当てコマンドが取得されるとき、ＲＰＬＭＮ情報を一時的に更新せず、モバイルスイッチングセンタによって返されるロケーション更新要求受理情報が受信されることが決定された後、ＲＰＬＭＮ情報を更新し、これが、モバイルネットワークにユーザ機器を登録する効率を改善することが分かる。
【図面の簡単な説明】
【００２１】
本発明の実施形態における技術的解決策について、より明確に説明するために、以下は、実施形態について説明するために必要とされる添付の図面を手短に紹介する。明らかに、以下の説明における添付の図面は、本発明のいくつかの実施形態を示すにすぎず、当業者は依然として、創意工夫なしに、これらの添付の図面から他の図面を導き出す。
【００２２】
【図１】本発明の実施形態による、ＲＰＬＭＮ情報を更新するための方法の概略的なフローチャートである。
【図２】本発明の実施形態による、ＲＰＬＭＮ情報を更新するための別の方法の概略的なフローチャートである。
【図３】本発明の実施形態による、無効なＰＬＭＮ識別子を処理するための方法の概略的なフローチャートである。
【図４】本発明の実施形態による、ＲＰＬＭＮ情報を更新するためのさらに別の方法の概略的なフローチャートである。
【図５】本発明の実施形態によるある種類のユーザ機器の概略的な構造図である。
【図６】本発明の実施形態による別の種類のユーザ機器の概略的な構造図である。
【発明を実施するための形態】
【００２３】
以下は、本発明の実施形態における添付の図面を参照しながら、本発明の実施形態における技術的解決策について明確かつ完全に説明する。明らかに、説明される実施形態は、本発明の実施形態のすべてではなく、いくつかにすぎない。創意工夫なしに本発明の実施形態に基づいて当業者によって得られるすべての他の実施形態は、本発明の保護範囲内に含まれるものとする。
【００２４】
本発明の実施形態において提供されるユーザ機器（ＵＥ）は、携帯電話、タブレットコンピュータ、パーソナルコンピュータ、電子書籍リーダー、または車載端末などのモバイル端末を含む。ユーザ機器は、無線信号送受信装置を使用することによって、１または複数のモバイルスイッチングセンタとの音声通信またはデータ通信を実行する。
【００２５】
本発明の実施形態において提供されるモバイルスイッチングセンタ（ＭＳＣ）は、モバイル通信ネットワーク全体の中核である。それは、すべての基地局コントローラ（ＢＳＣ）のサービスを制御し、スイッチング機能およびシステム内の別の機能への接続を提供する。モバイルスイッチングセンタは、モバイル加入者とモバイル加入者を接続し、モバイル加入者と固定ネットワーク加入者を接続するように、モバイルゲートウェイ（ＧＭＳＣ、Ｇａｔｅｗａｙ  Ｍｏｂｉｌｅ  Ｓｗｉｔｃｈｉｎｇ  Ｃｅｎｔｅｒ）を直接的に提供して、またはこれを使用して、公衆交換電話ネットワーク（ＰＳＴＮ、Ｐｕｂｌｉｃ  Ｓｗｉｔｃｈｅｄ  Ｔｅｌｅｐｈｏｎｅ  Ｎｅｔｗｏｒｋ）、サービス総合デジタル通信ネットワーク（ＩＳＤＮ、Ｉｎｔｅｇｒａｔｅｄ  Ｓｅｒｖｉｃｅｓ  Ｄｉｇｉｔａｌ  Ｎｅｔｗｏｒｋ）、または公衆データネットワーク（ＰＤＮ、公衆データネットワーク）などの固定ネットワークのためのインタフェース機能を提供する。
【００２６】
図１は、本発明の実施形態による、ＲＰＬＭＮ情報を更新するための方法の概略的なフローチャートである。図１に示されるように、この実施形態におけるＲＰＬＭＮ情報を更新するための方法のプロセスは、以下を含む。
【００２７】
Ｓ１０１。ユーザ機器が、公衆ランドモバイルネットワークＰＬＭＮ識別子を担持するロケーション更新要求メッセージをモバイルスイッチングセンタに送信する。
【００２８】
ＰＬＭＮ識別子は、ＰＬＭＮを識別するために使用される。ＰＬＭＮは、政府またはオペレータによって確立および管理され公衆にランドモバイル通信サービスを提供するネットワークである。ＰＬＭＮは一般に、複数のセル（ｃｅｌｌ）によって形成され、複数のセルは、モバイル通信ネットワークにおける最小カバレッジ単位である。ＰＬＭＮ識別子は、ＭＣＣ（Ｍｏｂｉｌｅ  Ｃｏｕｎｔｒｙ  Ｃｏｄｅ（モバイル国コード））およびＭＮＣ（Ｍｏｂｉｌｅ  Ｎｅｔｗｏｒｋ  Ｃｏｄｅ（モバイルネットワークコード））によって一意かつ共同で決定され、ＭＣＣは３つの数字を含み、ＭＮＣは２つの数字を含む。
【００２９】
電源投入された後、ユーザ機器は、利用可能なＰＬＭＮ識別子セットからＰＬＭＮ識別子を選択し、この利用可能なＰＬＭＮ識別子セットは、ＲＰＬＭＮ情報、ＨＰＬＭＮ（ホーム公衆ランドモバイルネットワーク）情報、ＵＰＬＭＮ（ユーザにより選択された公衆ランドモバイルネットワーク）情報、およびＯＰＬＭＮ（オペレータにより提供される公衆ランドモバイルネットワーク）情報に個別に含まれるＰＬＭＮ識別子を含む。ＲＰＬＭＮ情報は、ＳＩＭ（加入者識別モジュール）カードのカードファイルＥＦ＿ＬＯＣＩに記憶され、それを使用してユーザ機器が最後の電源切断の前に最後にモバイルスイッチングセンタへの登録を開始するＰＬＭＮ識別子を記録する。ＳＩＭカードはユーザ機器内に配設され、したがって、ユーザ機器は、ＳＩＭカードのカードファイルを読み出すことができる。任意選択で、ユーザ機器は、以下の優先順位、すなわち、ＲＰＬＭＮ情報−＞ＨＰＬＭＮ情報−＞ＵＰＬＭＮ情報−＞ＯＰＬＭＮ情報に従って、前述の種類の情報のすべてからＰＬＭＮ識別子を選択する。ＰＬＭＮ識別子は登録成功率および登録時間に関して最適であるので、それを使用してユーザ機器が最後の電源切断の前に登録するＰＬＭＮ識別子として、ＲＰＬＭＮ情報中のＰＬＭＮ識別子は、最も高い優先度を持つことが指摘されるべきである。
【００３０】
具体的には、電源投入された後、ユーザ機器は、前述の優先順位に従ってＰＬＭＮ識別子を選択し（以下では、選択されたＰＬＭＮ識別子を表すためにＰＬＭＮ＿１が使用される）、次いで、モバイルスイッチングセンタに、ＯＴＡ（Ｏｖｅｒ  Ｔｈｅ  Ａｉｒ）に基づいて、ＰＬＭＮ＿１を担持するロケーション更新要求メッセージを送信する。ＯＴＡは、ユーザ機器とモバイルスイッチングセンタとの間でシグナリング交換を実施することができる。ロケーション更新要求メッセージ、たとえば、３ＧＰＰプロトコルにおける「Ｌｏｃａｔｉｏｎ＿Ｕｐｄａｔｅ＿Ｒｅｑｕｅｓｔ」命令は、ＬＵ（Ｌｏｃａｔｉｏｎ  Ｕｐｄａｔｅ、ロケーション更新）を開始するために使用される。ＬＵを開始する目的は、ＰＬＭＮ識別子とともにユーザ機器を登録することであり、ユーザ機器は、モバイル通信ネットワークにアクセスすることができる。
【００３１】
さらに、ＰＬＭＮ＿１によって識別されるモバイルスイッチングセンタは、ユーザ機器によって送信されたロケーション更新要求メッセージを受信する。次いで、モバイルスイッチングセンタは、ユーザ機器によって送信されたＰＬＭＮ＿１が登録できるかどうかを決定する。具体的な決定方法については、３ＧＰＰプロトコルに対する参照がなされ、詳細は本明細書では説明されない。一般に、ＰＬＭＮ＿１が登録できる場合、モバイルスイッチングセンタは、ロケーション更新受理情報、たとえば、３ＧＰＰプロトコルにおける「Ｌｏｃａｔｉｏｎ＿Ｕｐｄａｔｅ＿Ａｃｃｅｐｔ」命令をユーザ機器にＯＴＡに基づいて送信する。または、ＰＬＭＮ＿１が登録できない場合、モバイルスイッチングセンタは、ロケーション更新拒否情報、たとえば、３ＧＰＰプロトコルにおける「Ｌｏｃａｔｉｏｎ＿Ｕｐｄａｔｅ＿Ｒｅｊｅｃｔ」命令をユーザ機器にＯＴＡに基づいて送信する。
【００３２】
Ｓ１０２。ロケーション更新要求メッセージに従ってモバイルスイッチングセンタによって返される一時的識別情報ＴＭＳＩ再割り当てコマンドを取得した後、ユーザ機器は、ロケーション更新要求メッセージに従ってモバイルスイッチングセンタによって返されるロケーション更新受理情報が現在取得されているかどうかを決定する。
【００３３】
ＴＭＳＩは、ネットワーク側でＶＬＲ（Ｖｉｓｉｔｏｒ  Ｌｏｃａｔｉｏｎ  Ｒｅｇｉｓｔｅｒ（ビジターロケーションレジスタ））を使用してモバイル通信システムの機密性を向上させることによって配信される一時的加入者識別である。機密性を達成するために、ＶＬＲは、ユーザ機器に対してＴＭＳＩを連続的に更新し、ＴＭＳＩを更新することは、ＴＭＳＩ再割り当てコマンド、たとえば、３ＧＰＰプロトコルにおける「ＴＭＳＩ＿Ｒｅａｌｌｏｃａｔｉｏｎ＿Ｃｏｍｍａｎｄ」命令をユーザ機器にモバイルスイッチングセンタによって送信する動作によって開始される。ユーザ機器によって送信されたロケーション更新要求メッセージを受信すると、モバイルスイッチングセンタは、ＴＭＳＩ再割り当てコマンドをユーザ機器にＯＴＡに基づいて送信する。したがって、ロケーション更新要求メッセージをモバイルスイッチングセンタに送信した後、ユーザ機器は、モバイルスイッチングセンタによって返されたＴＭＳＩ再割り当てコマンドを取得する。ＴＭＳＩ再割り当てコマンドがユーザ機器をトリガしてＲＰＬＭＮ情報を更新することは、指摘されるべきである。たとえば、ユーザ機器は、ＲＰＬＭＮ情報に対してＰＬＭＮ＿１を更新する。
【００３４】
具体的には、ロケーション更新要求メッセージに従ってモバイルスイッチングセンタによって返されるＴＭＳＩ再割り当てコマンドを取得した後、ユーザ機器は最初に、ロケーション更新要求メッセージに従ってモバイルスイッチングセンタによって返されるロケーション更新受理情報が現在取得されているかどうかを決定する。
【００３５】
Ｓ１０３。ユーザ機器がロケーション更新受理情報を取得する場合、ユーザ機器は、登録済み公衆ランドモバイルネットワークＲＰＬＭＮ情報に対してＰＬＭＮ識別子を更新する。または、ロケーション更新受理情報が取得されない場合、ユーザ機器は、ＲＰＬＭＮ情報に対してＰＬＭＮ識別子を更新する動作をスキップする。この動作は、ＴＭＳＩ再割り当てコマンドによってトリガされる。
【００３６】
具体的には、モバイルスイッチングセンタによって送信されたロケーション更新受理情報を取得した後、ユーザ機器は、ＲＰＬＭＮ情報に対してＰＬＭＮ＿１を更新する、すなわち、ＰＬＭＮ＿１をＳＩＭカードのカードファイルＥＦ＿ＬＯＣＩに保存する。または、モバイルスイッチングセンタによって送信されたロケーション更新受理情報が取得されない場合、ユーザ機器は、ＲＰＬＭＮ情報に対してＰＬＭＮ＿１を更新しない。したがって、ユーザ機器は、ＲＰＬＭＮ情報に対してＰＬＭＮ＿１を２回更新する必要はなく、これは、モバイルネットワークにユーザ機器を登録する効率を改善する。
【００３７】
従来技術における解決策によれば、モバイルスイッチングセンタによって返された一時的識別情報ＴＭＳＩ再割り当てコマンドを取得した後、ユーザ機器は、ＲＰＬＭＮ情報に対してＰＬＭＮ＿１を直接的に更新し、以下の問題が発生するという結果になることは指摘されるべきである。ユーザ機器は、ＲＰＬＭＮ情報に対してＰＬＭＮ＿１を更新した後、電源が切断され、電源切断後ロケーション更新要求メッセージに従ってモバイルスイッチングセンタによって返されるメッセージは、ロケーション更新拒否情報であり（すなわち、識別子ＰＬＭＮ＿１への登録は無効であり）、ユーザ機器は、電源切断されているためにロケーション更新拒否情報を受信するのに失敗し、次いで、次の電源投入時、ユーザ機器は依然として、ＲＰＬＭＮ情報からＰＬＭＮ＿１を優先的に選択してロケーション更新要求メッセージを送信し、これは、モバイルネットワークにユーザ機器を登録するための時間を延長させることが想定される。したがって、Ｓ１０３において決定することによって、ユーザ機器は、前述の問題の発生を防止することができ、有効なＰＬＭＮ識別子がＲＰＬＭＮ情報に対して更新されることを保証する。
【００３８】
任意選択で、モバイルスイッチングセンタによって送信されるＴＭＳＩ再割り当てコマンドは、ＬＡＩ（Ｌｏｃａｔｉｏｎ  Ａｒｅａ  Ｉｄｅｎｔｉｔｙ（ロケーションエリア識別））を担持する。ＬＡＩは、ＭＣＣ、ＭＮＣ、およびＬＡＣ（Ｌｏｃａｔｉｏｎ  Ａｒｅａ  Ｃｏｄｅ（ロケーションエリアコード））からなり、ＰＬＭＮがＭＣＣおよびＭＮＣからなることも知られている。したがって、ＴＭＳＩ再割り当てコマンドがＰＬＭＮ識別子を担持する、すなわち、ＰＬＭＮ＿１を担持することが分かる。次いで、ユーザ機器によってＲＰＬＭＮ情報に対してＰＬＭＮ＿１を更新する具体的な実装手法は、ユーザ機器が、ＴＭＳＩ再割り当てコマンドからＰＬＭＮ＿１を取得して、ＲＰＬＭＮ情報に対してＰＬＭＮ＿１を更新することである。この実装手法は、ユーザ機器によってＲＰＬＭＮ情報を更新する代替手法を豊富にする。
【００３９】
本発明のこの実施形態では、ユーザ機器は、ロケーション更新要求メッセージに従ってモバイルスイッチングセンタによって返されたＴＭＳＩ再割り当てコマンドが取得されるとき、一時的にＲＰＬＭＮ情報を更新せず、モバイルスイッチングセンタによって返されたロケーション更新要求受理情報が受信されることが決定された後、ＲＰＬＭＮ情報を更新する。これは、モバイルネットワークにユーザ機器を登録する効率を改善することができ、ユーザ機器がＲＰＬＭＮ情報に対して無効なＰＬＭＮ識別子を更新するのを防止し、それによって、次の電源投入後にモバイルネットワークにユーザ機器を接続する速度を速め、ユーザエクスペリエンスを改善することもできる。
【００４０】
図２は、本発明の実施形態による、ＲＰＬＭＮ情報を更新するための別の方法の概略的なフローチャートである。この方法は、以下を含む。
【００４１】
Ｓ２０１。ユーザ機器が利用可能なＰＬＭＮ識別子セットからＰＬＭＮ識別子を選択し、この利用可能なＰＬＭＮ識別子セットは、ＲＰＬＭＮ情報、ＨＰＬＭＮ情報、ＵＰＬＭＮ情報、およびＯＰＬＭＮ情報に個別に含まれるＰＬＭＮ識別子を含む。
【００４２】
ＰＬＭＮ識別子は、ＰＬＭＮを識別するために使用される。ＰＬＭＮは、政府またはオペレータによって確立および管理され公衆にランドモバイル通信サービスを提供するネットワークである。ＰＬＭＮは一般に、複数のセル（ｃｅｌｌ）によって形成され、複数のセルは、モバイル通信ネットワークにおける最小カバレッジ単位である。ＰＬＭＮ識別子は、ＭＣＣおよびＭＮＣによって一意かつ共同で決定され、ＭＣＣは３つの数字を含み、ＭＮＣは２つの数字を含む。
【００４３】
ＲＰＬＭＮ情報は、ＳＩＭカードのカードファイルＥＦ＿ＬＯＣＩに記憶され、それを使用してユーザ機器が最後の電源切断の前に最後にモバイルスイッチングセンタへの登録を開始するＰＬＭＮ識別子を記録する。ＳＩＭカードはユーザ機器内に配設され、したがって、ユーザ機器は、ＳＩＭカードのカードファイルを読み出すことができる。任意選択で、ユーザ機器は、以下の優先順位、すなわち、ＲＰＬＭＮ情報−＞ＨＰＬＭＮ情報−＞ＵＰＬＭＮ情報−＞ＯＰＬＭＮ情報に従って、前述の種類の情報のすべてからＰＬＭＮ識別子を選択する。ＰＬＭＮ識別子は登録成功率および登録時間に関して最適であるので、それを使用してユーザ機器が最後の電源切断の前に登録するＰＬＭＮ識別子として、ＲＰＬＭＮ情報中のＰＬＭＮ識別子は、最も高い優先度を持つことが指摘されるべきである。
【００４４】
具体的には、電源投入された後、ユーザ機器は、前述の優先順位に従ってＰＬＭＮ識別子を選択する（以下では、選択されたＰＬＭＮ識別子を表すためにＰＬＭＮ＿１が使用される）。
【００４５】
Ｓ２０２。ユーザ機器が、ＰＬＭＮ識別子を担持するロケーション更新要求メッセージをモバイルスイッチングセンタに送信する。
【００４６】
具体的には、ユーザ機器は、ＰＬＭＮ＿１を担持するロケーション更新要求メッセージをモバイルスイッチングセンタにＯＴＡに基づいて送信する。ロケーション更新要求メッセージ、たとえば、３ＧＰＰプロトコルにおける「Ｌｏｃａｔｉｏｎ＿Ｕｐｄａｔｅ＿Ｒｅｑｕｅｓｔ」命令は、ＬＵを開始するために使用される。ＬＵの目的は、ＰＬＭＮ識別子とともにユーザ機器を登録することであり、ユーザ機器は、モバイル通信ネットワークにアクセスすることができる。
【００４７】
さらに、ＰＬＭＮ＿１によって識別されるモバイルスイッチングセンタは、ユーザ機器によって送信されたロケーション更新要求メッセージを受信する。次いで、モバイルスイッチングセンタは、ユーザ機器によって送信されたＰＬＭＮ＿１が登録できるかどうかを決定する。具体的な決定方法については、３ＧＰＰプロトコルに対する参照がなされ、詳細は本明細書では説明されない。一般に、ＰＬＭＮ＿１が登録できる場合、モバイルスイッチングセンタは、ロケーション更新受理情報、たとえば、３ＧＰＰプロトコルにおける「Ｌｏｃａｔｉｏｎ＿Ｕｐｄａｔｅ＿Ａｃｃｅｐｔ」命令をユーザ機器にＯＴＡに基づいて送信する。または、ＰＬＭＮ＿１が登録できない場合、モバイルスイッチングセンタは、ロケーション更新拒否情報、たとえば、３ＧＰＰプロトコルにおける「Ｌｏｃａｔｉｏｎ＿Ｕｐｄａｔｅ＿Ｒｅｊｅｃｔ」命令をユーザ機器にＯＴＡに基づいて送信する。
【００４８】
Ｓ２０３。ユーザ機器が、ロケーション更新要求メッセージに従ってモバイルスイッチングセンタによって返されたＴＭＳＩ再割り当てコマンドを取得する。
【００４９】
ＴＭＳＩは、ネットワーク側でＶＬＲを使用してモバイル通信システムの機密性を向上させることによって配信される一時的加入者識別情報である。機密性を達成するために、ＶＬＲは、ユーザ機器に対してＴＭＳＩを連続的に更新し、ＴＭＳＩを更新することは、ＴＭＳＩ再割り当てコマンド、たとえば、３ＧＰＰプロトコルにおける「ＴＭＳＩ＿Ｒｅａｌｌｏｃａｔｉｏｎ＿Ｃｏｍｍａｎｄ」命令をユーザ機器にモバイルスイッチングセンタによって送信する動作によって開始される。既存の３ＧＰＰプロトコルは、モバイルスイッチングセンタがＴＭＳＩ再割り当てコマンドをユーザ機器に送信するときを規定する。１つの規定によれば、ユーザ機器によって送信されたロケーション更新要求メッセージを受信すると、モバイルスイッチングセンタは、ＴＭＳＩ再割り当てコマンドをユーザ機器にＯＴＡに基づいて送信する。したがって、ロケーション更新要求メッセージをモバイルスイッチングセンタに送信した後、ユーザ機器は、モバイルスイッチングセンタによって返されたＴＭＳＩ再割り当てコマンドを取得する。ＴＭＳＩ再割り当てコマンドがユーザ機器をトリガしてＲＰＬＭＮ情報を更新することは、指摘されるべきである。たとえば、ユーザ機器は、ＲＰＬＭＮ情報に対してＰＬＭＮ＿１を更新する。
【００５０】
具体的には、ユーザ機器は、ロケーション更新要求メッセージに従ってモバイルスイッチングセンタによって返されたＴＭＳＩ再割り当てコマンドを取得する。
【００５１】
Ｓ２０４。ユーザ機器が、ロケーション更新要求メッセージに従ってモバイルスイッチングセンタによって返されるロケーション更新受理情報が現在取得されているかどうかを決定する。
【００５２】
具体的には、ロケーション更新要求メッセージに従ってモバイルスイッチングセンタによって返されるＴＭＳＩ再割り当てコマンドを取得した後、ユーザ機器は、ロケーション更新要求メッセージに従ってモバイルスイッチングセンタによって返されるロケーション更新受理情報が現在取得されているかどうかを決定する。ロケーション更新受理情報が現在取得されている場合、ユーザ機器はステップＳ２０５に進む。ロケーション更新受理情報が取得されない場合、ユーザ機器はステップＳ２０６に進む。
【００５３】
Ｓ２０５。ユーザ機器が、ＲＰＬＭＮ情報に対してＰＬＭＮ識別子を更新する。
【００５４】
具体的には、ユーザ機器はＲＰＬＭＮ情報に対してＰＬＭＮ＿１を更新する、すなわち、ＳＩＭカードのカードファイルＥＦ＿ＬＯＣＩにＰＬＭＮ＿１を保存する。従来技術における解決策によれば、モバイルスイッチングセンタによって返された一時的識別情報ＴＭＳＩ再割り当てコマンドを取得した後、ユーザ機器は、ＲＰＬＭＮ情報に対してＰＬＭＮ＿１を直接的に更新し、以下の問題が発生するという結果になることは指摘されるべきである。ユーザ機器は、ＲＰＬＭＮ情報に対してＰＬＭＮ＿１を更新した後、電源が切断され、電源切断後ロケーション更新要求メッセージに従ってモバイルスイッチングセンタによって返されるメッセージは、ロケーション更新拒否情報であり（すなわち、識別子ＰＬＭＮ＿１への登録は無効であり）、ユーザ機器は、電源切断されているためにロケーション更新拒否情報を受信するのに失敗し、次いで、次の電源投入時、ユーザ機器は依然として、ＲＰＬＭＮ情報からＰＬＭＮ＿１を優先的に選択してロケーション更新要求メッセージを送信し、これは、モバイルネットワークにユーザ機器を登録するための時間を延長させることが想定される。したがって、Ｓ２０４において決定することによって、ユーザ機器は、前述の問題の発生を防止することができ、有効なＰＬＭＮ識別子がＲＰＬＭＮ情報に対して更新されることを保証する。
【００５５】
任意選択で、モバイルスイッチングセンタによって送信されるＴＭＳＩ再割り当てコマンドは、ＬＡＩ（Ｌｏｃａｔｉｏｎ  Ａｒｅａ  Ｉｄｅｎｔｉｔｙ（ロケーションエリア識別））を担持する。ＬＡＩは、ＭＣＣ、ＭＮＣ、およびＬＡＣ（Ｌｏｃａｔｉｏｎ  Ａｒｅａ  Ｃｏｄｅ（ロケーションエリアコード））からなり、ＰＬＭＮがＭＣＣおよびＭＮＣからなることも知られている。したがって、ＴＭＳＩ再割り当てコマンドがＰＬＭＮ識別子を担持する、すなわち、ＰＬＭＮ＿１を担持することが分かる。次いで、ユーザ機器によってＲＰＬＭＮ情報に対してＰＬＭＮ＿１を更新する具体的な実装手法は、ユーザ機器が、ＴＭＳＩ再割り当てコマンドからＰＬＭＮ＿１を取得して、ＲＰＬＭＮ情報に対してＰＬＭＮ＿１を更新することである。この実装手法は、ユーザ機器によってＲＰＬＭＮ情報を更新する代替手法を豊富にする。
【００５６】
Ｓ２０６。ユーザ機器が、ＴＭＳＩ再割り当てコマンドによってトリガされたＲＰＬＭＮ情報を更新することをスキップする。
【００５７】
上記で説明された３ＧＰＰプロトコルから、ＴＭＳＩ再割り当てコマンドがユーザ機器をトリガしてＲＰＬＭＮ情報を更新することが分かる。
【００５８】
具体的には、ユーザ機器は、ＲＰＬＭＮ情報に対してＰＬＭＮ＿１を更新する動作を実行しない。したがって、ユーザ機器は、ＲＰＬＭＮ情報に対して同じＰＬＭＮ＿１を２回更新する必要はなく、これは、モバイルネットワークにユーザ機器を登録する効率を改善する。
【００５９】
Ｓ２０７。ユーザ機器が、ロケーション更新要求メッセージに従ってモバイルスイッチングセンタによって返されるロケーション更新拒否情報が取得されているかどうかを決定する。
【００６０】
具体的には、ユーザ機器が、モバイルスイッチングセンタによって返されるロケーション更新拒否情報が取得されていると決定した場合、ユーザ機器はステップＳ２０８に進む。具体的には、ユーザ機器が、モバイルスイッチングセンタによって返されるロケーション更新拒否情報が取得されていないと決定した場合、ユーザ機器はステップＳ２０４に戻る。
【００６１】
Ｓ２０８。ユーザ機器が、利用可能なＰＬＭＮ識別子セットから別のＰＬＭＮ識別子を再選択する。
【００６２】
ロケーション更新拒否情報の受信は、現在登録に使用されるＰＬＭＮ識別子（ＰＬＭＮ＿１など）は無効であり、ユーザ機器がモバイル通信ネットワークにアクセスすることを可能にすることができないことを示す。たとえば、ネットワーク輻輳が、ＰＬＭＮ＿１に対応するモバイルスイッチングセンタにおいて起こる。
【００６３】
具体的には、利用可能なＰＬＭＮ識別子セット内の無効なＰＬＭＮ識別子（ＰＬＭＮ＿１など）を除外した後、ユーザ機器は、別のＰＬＭＮ識別子を担持するロケーション更新要求メッセージをモバイルスイッチングセンタに送信して登録を再度実行するように、別のＰＬＭＮ識別子を再選択し、ステップＳ２０２に戻る。
【００６４】
任意選択で、ユーザ機器は依然として、以下の優先順位、すなわち、「ＲＰＬＭＮ情報−＞ＨＰＬＭＮ−＞情報−＞ＵＰＬＭＮ情報−＞ＯＰＬＭＮ情報」に従って、別のＰＬＭＮ識別子を選択する。たとえば、ＰＬＭＮ＿１は、ＲＰＬＭＮ情報から選択されたＰＬＭＮ識別子であり、それは、前述のステップが実行された後、ＰＬＭＮ＿１が無効であると決定し、ユーザ機器が、ＨＰＬＭＮ情報からＰＬＭＮ＿２などのＰＬＭＮ識別子を選択することが想定される。前述のステップが実行された後、ＰＬＭＮ＿２も無効であることが決定された場合、ユーザ機器は、ＵＰＬＭＮ情報からＰＬＭＮ＿３などのＰＬＭＮ識別子を選択し、以下同様である。
【００６５】
本発明のこの実施形態では、ユーザ機器は、ロケーション更新要求メッセージに従ってモバイルスイッチングセンタによって返されたＴＭＳＩ再割り当てコマンドが取得されるとき、一時的にＲＰＬＭＮ情報を更新せず、モバイルスイッチングセンタによって返されたロケーション更新要求受理情報が受信されることが決定された後、ＲＰＬＭＮ情報を更新する。これは、モバイルネットワークにユーザ機器を登録する効率を改善することができ、ユーザ機器がＲＰＬＭＮ情報に対して無効なＰＬＭＮ識別子を更新するのを防止し、それによって、ユーザ機器の電源が投入された後にモバイルネットワークにユーザ機器を接続する速度を速め、ユーザエクスペリエンスを改善することもできる。さらに、本発明のこの実施形態は、ユーザ機器がロケーション更新拒否情報を受信した後で実行されることになる動作をさらに追加し、それによって、実装プロセスを改善する。
【００６６】
図３は、本発明の実施形態による、無効なＰＬＭＮ識別子を処理するための方法の概略的なフローチャートである。無効なＰＬＭＮ識別子を処理するための方法は、図２のために提供される実施形態への追加であり、すなわち、ロケーション更新拒否情報をユーザ機器に送信した後、モバイルスイッチングセンタは、以下のステップをさらに実行する。
【００６７】
Ｓ３０１。ユーザ機器が、ロケーション更新要求メッセージに従ってモバイルスイッチングセンタによって返されるロケーション更新拒否情報を取得する。
【００６８】
ロケーション更新拒否情報の受信は、現在登録に使用されるＰＬＭＮ識別子は無効であり、ユーザ機器がモバイル通信ネットワークにアクセスすることを可能にすることができないことを示す。たとえば、ネットワーク輻輳が、登録に現在使用されるＰＬＭＮ識別子（ＰＬＭＮ＿１など）に対応するモバイルスイッチングセンタにおいて起こる。
【００６９】
Ｓ３０２。ユーザ機器が、ＰＬＭＮ識別子と同じＰＬＭＮ識別子がＲＰＬＭＮ情報に記録されているかどうかを決定する。
【００７０】
たとえば、登録に現在使用されるＰＬＭＮ識別子（すなわち、無効なＰＬＭＮ識別子）がＰＬＭＮ＿１であり、ＲＰＬＭＮ情報に記録されるＰＬＭＮ識別子もＰＬＭＮ＿１である場合、２つのＰＬＭＮ識別子が同じであることが決定され、ステップＳ３０３が実行される。
【００７１】
Ｓ３０３。ユーザ機器は、ＲＰＬＭＮ情報からＰＬＭＮ識別子を削除する。
【００７２】
上記から、以下が結論できる。現在のＲＰＬＭＮ情報に記録されたＰＬＭＮ識別子は無効なＰＬＭＮ識別子であり、したがって、ユーザ機器の電源が切断されてから有効なＰＬＭＮ識別子がＲＰＬＭＮ情報に対して更新されるので、ユーザ機器は、ＰＬＭＮ識別子を削除して、ユーザ機器が次の電源投入時にＲＰＬＭＮ情報から無効なＰＬＭＮ識別子を選択するのを防止する。この実施形態はさらに、ＲＰＬＭＮ情報の有効性を保証し、ユーザ機器の電源が投入された後でモバイルネットワークにユーザ機器を接続する速度を速めることができる。
【００７３】
図４は、本発明の実施形態による、ＲＰＬＭＮ情報を更新するためのさらに別の方法の概略的なフローチャートである。本発明の実施形態では、ユーザ機器とモバイルスイッチングセンタの両方がＲＰＬＭＮ情報の更新を実行する。具体的なステップは、以下を含む。
【００７４】
Ｓ４０１。ユーザ機器が、以下の優先順位、すなわち、ＲＰＬＭＮ情報、ＨＰＬＭＮ情報、ＵＰＬＭＮ情報、およびＯＰＬＭＮ情報に従って、ＲＰＬＭＮ情報、ＨＰＬＭＮ情報、ＵＰＬＭＮ情報、およびＯＰＬＭＮ情報からＰＬＭＮ識別子を順次選択する。
【００７５】
ＰＬＭＮ識別子は、ＰＬＭＮを識別するために使用される。ＰＬＭＮは、政府またはオペレータによって確立および管理され公衆にランドモバイル通信サービスを提供するネットワークである。ＰＬＭＮは一般に、複数のセル（ｃｅｌｌ）によって形成され、複数のセルは、モバイル通信ネットワークにおける最小カバレッジ単位である。ＰＬＭＮ識別子は、ＭＣＣおよびＭＮＣによって一意かつ共同で決定され、ＭＣＣは３つの数字を含み、ＭＮＣは２つの数字を含む。
【００７６】
ＲＰＬＭＮ情報は、ＳＩＭカードのカードファイルＥＦ＿ＬＯＣＩに記憶され、それを使用してユーザ機器が最後の電源切断の前に最後にモバイルスイッチングセンタへの登録を開始するＰＬＭＮ識別子を記録する。ＳＩＭカードはユーザ機器内に配設され、したがって、ユーザ機器は、ＳＩＭカードのカードファイルを読み出すことができる。具体的には、ユーザ機器は、以下の優先順位、すなわち、ＲＰＬＭＮ情報、ＨＰＬＭＮ情報、ＵＰＬＭＮ情報、およびＯＰＬＭＮ情報に従って、ＲＰＬＭＮ情報、ＨＰＬＭＮ情報、ＵＰＬＭＮ情報、およびＯＰＬＭＮ情報からＰＬＭＮ識別子（以下では、選択されたＰＬＭＮ識別子を表すためにＰＬＭＮ＿１が使用される）を順次選択する。ＰＬＭＮ識別子は登録成功率および登録時間に関して最適であるので、それを使用してユーザ機器が最後の電源切断の前に登録するＰＬＭＮ識別子として、ＲＰＬＭＮ情報中のＰＬＭＮ識別子は、最も高い優先度を持つことが指摘されるべきである。
【００７７】
Ｓ４０２。ユーザ機器が、ＰＬＭＮ識別子を担持するロケーション更新要求メッセージをモバイルスイッチングセンタに送信する。
【００７８】
具体的には、ユーザ機器は、ＰＬＭＮ＿１を担持するロケーション更新要求メッセージをモバイルスイッチングセンタにＯＴＡに基づいて送信する。ロケーション更新要求メッセージ、たとえば、３ＧＰＰプロトコルにおける「Ｌｏｃａｔｉｏｎ＿Ｕｐｄａｔｅ＿Ｒｅｑｕｅｓｔ」命令は、ＬＵを開始するために使用される。ＬＵの目的は、ＰＬＭＮ識別子とともにユーザ機器を登録することであり、ユーザ機器は、モバイル通信ネットワークにアクセスすることができる。
【００７９】
Ｓ４０３。モバイルスイッチングセンタは、ロケーション更新要求メッセージに従ってユーザ機器にＴＭＳＩ再割り当てコマンドを返す。
【００８０】
ＴＭＳＩは、ネットワーク側でＶＬＲを使用してモバイル通信システムの機密性を向上させることによって配信される一時的加入者識別情報である。機密性を達成するために、ＶＬＲは、ユーザ機器に対してＴＭＳＩを連続的に更新し、ＴＭＳＩを更新することは、ＴＭＳＩ再割り当てコマンド、たとえば、３ＧＰＰプロトコルにおける「ＴＭＳＩ＿Ｒｅａｌｌｏｃａｔｉｏｎ＿Ｃｏｍｍａｎｄ」命令をユーザ機器にモバイルスイッチングセンタによって送信する動作によって開始される。ユーザ機器によって送信されたロケーション更新要求メッセージを受信すると、モバイルスイッチングセンタは、ＴＭＳＩ再割り当てコマンドをユーザ機器にＯＴＡに基づいて送信する。したがって、ロケーション更新要求メッセージをモバイルスイッチングセンタに送信した後、ユーザ機器は、モバイルスイッチングセンタによって返されたＴＭＳＩ再割り当てコマンドを取得する。既存の３ＧＰＰプロトコルは、ＴＭＳＩ再割り当てコマンドがユーザ機器をトリガしてＲＰＬＭＮ情報を更新できることをさらに規定することは、指摘されるべきである。たとえば、ユーザ機器は、ＲＰＬＭＮ情報に対してＰＬＭＮ＿１を更新する。
【００８１】
Ｓ４０４。ＰＬＭＮ識別子が登録できない場合、モバイルスイッチングセンタは、ユーザ機器にロケーション更新拒否情報を返す。
【００８２】
具体的には、モバイルスイッチングセンタは、ユーザ機器によって送信されたＰＬＭＮ＿１が登録できるかどうかを決定する。具体的な決定方法については、３ＧＰＰプロトコルに対する参照がなされ、詳細は本明細書では説明されない。ＰＬＭＮ＿１が登録できない場合、モバイルスイッチングセンタは、ロケーション更新拒否情報、たとえば、３ＧＰＰプロトコルにおける「Ｌｏｃａｔｉｏｎ＿Ｕｐｄａｔｅ＿Ｒｅｊｅｃｔ」命令をユーザ機器にＯＴＡに基づいて送信する。
【００８３】
Ｓ４０５。ユーザ機器が、優先順位に従って別のＰＬＭＮ識別子を再選択する。
【００８４】
具体的には、登録できず、利用可能なＰＬＭＮ識別子セット内にあるＬＭＮ識別子（ＰＬＭＮ＿１など）を除外した後、ユーザ機器は、別のＰＬＭＮ識別子を担持するロケーション更新要求メッセージをモバイルスイッチングセンタに送信して登録を再度実行するように、別のＰＬＭＮ識別子を再選択し、ステップＳ４０２に戻る。
【００８５】
任意選択で、ユーザ機器は依然として、以下の優先順位、すなわち、「ＲＰＬＭＮ情報−＞ＨＰＬＭＮ−＞情報−＞ＵＰＬＭＮ情報−＞ＯＰＬＭＮ情報」に従って、別のＰＬＭＮ識別子を選択する。たとえば、ＰＬＭＮ＿１は、ＲＰＬＭＮ情報から選択されたＰＬＭＮ識別子であり、それは、前述のステップが実行された後、ＰＬＭＮ＿１が登録できないと決定し、ユーザ機器が、ＨＰＬＭＮ情報からＰＬＭＮ＿２などのＰＬＭＮ識別子を選択することが想定される。前述のステップが実行された後、ＰＬＭＮ＿２もまた登録できないことが決定された場合、ユーザ機器は、ＵＰＬＭＮ情報からＰＬＭＮ＿３などのＰＬＭＮ識別子を選択し、以下同様である。
【００８６】
上記で述べられたＴＭＳＩ再割り当てコマンドは、ユーザ機器をトリガしてＲＰＬＭＮ情報を更新することができ、すなわち、ユーザ機器は、ＲＰＬＭＮ情報に対してＰＬＭＮ＿１を更新する。本明細書では、ユーザ機器は、ＴＭＳＩ再割り当てコマンドによってトリガされたＲＰＬＭＮ情報の更新を無視する。従来技術における解決策によれば、モバイルスイッチングセンタによって返された一時的識別情報ＴＭＳＩ再割り当てコマンドを取得した後、ユーザ機器は、ＲＰＬＭＮ情報に対してＰＬＭＮ＿１を直接的に更新し、以下の問題が発生するという結果になる。ユーザ機器は、ＲＰＬＭＮ情報に対してＰＬＭＮ＿１を更新した後、電源が切断され、電源切断後ロケーション更新要求メッセージに従ってモバイルスイッチングセンタによって返されるメッセージは、ロケーション更新拒否情報であり（すなわち、識別子ＰＬＭＮ＿１への登録は無効であり）、ユーザ機器は、電源切断されているためにロケーション更新拒否情報を受信するのに失敗し、次いで、次の電源投入時、ユーザ機器は依然として、ＲＰＬＭＮ情報からＰＬＭＮ＿１を優先的に選択してロケーション更新要求メッセージを送信し、これは、モバイルネットワークにユーザ機器を登録するための時間を延長させることが想定される。
【００８７】
Ｓ４０６。ＰＬＭＮ識別子が登録できる場合、モバイルスイッチングセンタは、ユーザ機器にロケーション更新受理情報を返す。
【００８８】
具体的には、ＰＬＭＮ＿１が登録できる場合、ユーザ機器は、ロケーション更新受理情報、たとえば、３ＧＰＰプロトコルにおける「Ｌｏｃａｔｉｏｎ＿Ｕｐｄａｔｅ＿Ａｃｃｅｐｔ」命令をユーザ機器にＯＴＡに基づいて送信する。
【００８９】
Ｓ４０７。ユーザ機器が、ＲＰＬＭＮ情報に対してＰＬＭＮ識別子を更新する。
【００９０】
具体的には、ユーザ機器はＲＰＬＭＮ情報に対してＰＬＭＮ＿１を更新する、すなわち、ＳＩＭカードのカードファイルＥＦ＿ＬＯＣＩにＰＬＭＮ＿１を保存する。
【００９１】
任意選択で、モバイルスイッチングセンタによって送信されるＴＭＳＩ再割り当てコマンドは、ＬＡＩを担持する。ＬＡＩは、ＭＣＣ、ＭＮＣ、およびＬＡＣからなり、ＰＬＭＮがＭＣＣおよびＭＮＣからなることも知られている。したがって、ＴＭＳＩ再割り当てコマンドがＰＬＭＮ識別子を担持する、すなわち、ＰＬＭＮ＿１を担持することが分かる。次いで、ユーザ機器によってＲＰＬＭＮ情報に対してＰＬＭＮ＿１を更新する具体的な実装手法は、ユーザ機器が、ＴＭＳＩ再割り当てコマンドからＰＬＭＮ＿１を取得して、ＲＰＬＭＮ情報に対してＰＬＭＮ＿１を更新することである。この実装手法は、ユーザ機器によってＲＰＬＭＮ情報を更新する代替手法を豊富にする。
【００９２】
本発明のこの実施形態では、ユーザ機器は、ロケーション更新要求メッセージに従ってモバイルスイッチングセンタによって返されたＴＭＳＩ再割り当てコマンドが取得されるとき、ＲＰＬＭＮ情報を更新せず、モバイルスイッチングセンタによって返されたロケーション更新要求受理情報が受信されると、ＲＰＬＭＮ情報を更新する。これは、モバイルネットワークにユーザ機器を登録する効率を改善することができ、ユーザ機器がＲＰＬＭＮ情報に対して無効なＰＬＭＮ識別子を更新するのを防止し、それによって、ユーザ機器の電源が投入された後にモバイルネットワークにユーザ機器を接続する速度を速め、ユーザエクスペリエンスを改善することもできる。
【００９３】
図５は、本発明の実施形態によるある種類のユーザ機器の概略的な構造図である。図５に示されるように、本発明のこの実施形態では、ユーザ機器は、少なくとも、要求メッセージ送信モジュール５１０と、受理情報決定モジュール５２０と、更新ポリシー実行モジュール５３０とを含む。
【００９４】
要求メッセージ送信モジュール５１０は、ＰＬＭＮ識別子を担持するロケーション更新要求メッセージをモバイルスイッチングセンタに送信するように構成される。
【００９５】
ＰＬＭＮ識別子は、ＰＬＭＮを識別するために使用される。ＰＬＭＮは、政府またはオペレータによって確立および管理され公衆にランドモバイル通信サービスを提供するネットワークである。ＰＬＭＮは一般に、複数のセル（ｃｅｌｌ）によって形成され、複数のセルは、モバイル通信ネットワークにおける最小カバレッジ単位である。ＰＬＭＮ識別子は、ＭＣＣおよびＭＮＣによって一意かつ共同で決定され、ＭＣＣは３つの数字を含み、ＭＮＣは２つの数字を含む。
【００９６】
具体的には、電源投入後、要求メッセージ送信モジュール５１０が、ＰＬＭＮ識別子（以下では、ＰＬＭＮ識別子を表すためにＰＬＭＮ＿１が使用される）を担持するロケーション更新要求メッセージをモバイルスイッチングセンタにＯＴＡに基づいて送信する。ロケーション更新要求メッセージ、たとえば、３ＧＰＰプロトコルにおける「Ｌｏｃａｔｉｏｎ＿Ｕｐｄａｔｅ＿Ｒｅｑｕｅｓｔ」命令は、ＬＵを開始するために使用される。ＬＵの目的は、ＰＬＭＮ識別子とともにユーザ機器を登録することであり、ユーザ機器は、モバイル通信ネットワークにアクセスすることができる。
【００９７】
さらに、ＰＬＭＮ＿１によって識別されるモバイルスイッチングセンタは、要求メッセージ送信モジュール５１０によって送信されたロケーション更新要求メッセージを受信する。次いで、モバイルスイッチングセンタは、要求メッセージ送信モジュール５１０によって送信されたＰＬＭＮ＿１が登録できるかどうかを決定する。具体的な決定方法については、３ＧＰＰプロトコルに対する参照がなされ、詳細は本明細書では説明されない。一般に、ＰＬＭＮ＿１が登録できる場合、モバイルスイッチングセンタは、ロケーション更新受理情報、たとえば、３ＧＰＰプロトコルにおける「Ｌｏｃａｔｉｏｎ＿Ｕｐｄａｔｅ＿Ａｃｃｅｐｔ」命令をユーザ機器にＯＴＡに基づいて送信する。または、ＰＬＭＮ＿１が登録できない場合、モバイルスイッチングセンタは、ロケーション更新拒否情報、たとえば、３ＧＰＰプロトコルにおける「Ｌｏｃａｔｉｏｎ＿Ｕｐｄａｔｅ＿Ｒｅｊｅｃｔ」命令をユーザ機器にＯＴＡに基づいて送信する。
【００９８】
受理情報決定モジュール５２０は、ロケーション更新要求メッセージに従ってモバイルスイッチングセンタによって返されるＴＭＳＩ再割り当てコマンドが取得された後、ロケーション更新要求メッセージに従ってモバイルスイッチングセンタによって返されるロケーション更新受理情報が現在取得されているかどうかを決定するように構成される。
【００９９】
ＴＭＳＩは、ネットワーク側でＶＬＲ（Ｖｉｓｉｔｏｒ  Ｌｏｃａｔｉｏｎ  Ｒｅｇｉｓｔｅｒ（ビジターロケーションレジスタ））を使用してモバイル通信システムの機密性を向上させることによって配信される一時的加入者識別情報である。機密性を達成するために、ＶＬＲは、ユーザ機器に対してＴＭＳＩを連続的に更新し、ＴＭＳＩを更新することは、ＴＭＳＩ再割り当てコマンド、たとえば、３ＧＰＰプロトコルにおける「ＴＭＳＩ＿Ｒｅａｌｌｏｃａｔｉｏｎ＿Ｃｏｍｍａｎｄ」命令をユーザ機器にモバイルスイッチングセンタによって送信する動作によって開始される。ＴＭＳＩ再割り当てコマンドがユーザ機器をトリガしてＲＰＬＭＮ情報を更新することは、指摘されるべきである。たとえば、ユーザ機器は、ＲＰＬＭＮ情報に対してＰＬＭＮ＿１を更新する。ＲＰＬＭＮ情報は、ＳＩＭ（加入者識別モジュール）カードのカードファイルＥＦ＿ＬＯＣＩに記憶され、それを使用してユーザ機器が最後の電源切断の前に最後にモバイルスイッチングセンタへの登録を開始するＰＬＭＮ識別子を記録する。ＳＩＭカードはユーザ機器内に配設され、したがって、ユーザ機器は、ＳＩＭカードのカードファイルを読み出すことができる。
【０１００】
具体的には、ロケーション更新要求メッセージに従ってモバイルスイッチングセンタによって返されたＴＭＳＩ再割り当てコマンドを取得した後、受理情報決定モジュール５２０は最初に、ロケーション更新要求メッセージに従ってモバイルスイッチングセンタによって返されたロケーション更新受理情報が現在取得されているかどうかを決定する。
【０１０１】
更新ポリシー実行モジュール５３０は、ロケーション更新受理情報が取得される場合、ＲＰＬＭＮ情報に対してＰＬＭＮ識別子を更新する、または、ロケーション更新受理情報が取得されない場合、ＴＭＳＩ再割り当てコマンドによってトリガされるＲＰＬＭＮ情報の更新をスキップするように構成される。
【０１０２】
具体的には、モバイルスイッチングセンタによって送信されたロケーション更新受理情報が取得される場合、更新ポリシー実行モジュール５３０は、ＲＰＬＭＮ情報に対してＰＬＭＮ＿１を更新する、すなわち、ＳＩＭカードのカードファイルＥＦ＿ＬＯＣＩにＰＬＭＮ＿１を保存する、または、モバイルスイッチングセンタによって送信されたロケーション更新受理情報が取得されない場合、ユーザ機器は、ＲＰＬＭＮ情報に対してＰＬＭＮ＿１を更新しない。したがって、ユーザ機器は、ＲＰＬＭＮ情報に対してＰＬＭＮ＿１を２回更新する必要はなく、これは、モバイルネットワークにユーザ機器を登録する効率を改善する。
【０１０３】
任意選択で、モバイルスイッチングセンタによって送信されるＴＭＳＩ再割り当てコマンドは、ＬＡＩ（Ｌｏｃａｔｉｏｎ  Ａｒｅａ  Ｉｄｅｎｔｉｔｙ（ロケーションエリア識別））を担持する。ＬＡＩは、ＭＣＣ、ＭＮＣ、およびＬＡＣ（Ｌｏｃａｔｉｏｎ  Ａｒｅａ  Ｃｏｄｅ（ロケーションエリアコード））からなり、ＰＬＭＮがＭＣＣおよびＭＮＣからなることも知られている。したがって、ＴＭＳＩ再割り当てコマンドがＰＬＭＮ識別子を担持する、すなわち、ＰＬＭＮ＿１を担持することが分かる。次いで、更新ポリシー実行モジュール５３０によってＲＰＬＭＮ情報に対してＰＬＭＮ＿１を更新する具体的な実装手法は、更新ポリシー実行モジュール５３０が、ＴＭＳＩ再割り当てコマンドからＰＬＭＮ＿１を取得して、ＲＰＬＭＮ情報に対してＰＬＭＮ＿１を更新することである。この実装手法は、ユーザ機器によってＲＰＬＭＮ情報を更新する代替手法を豊富にする。
【０１０４】
任意選択で、図５を参照すると、図５に示されるように、本発明のこの実施形態におけるユーザ機器は、利用可能なＰＬＭＮ識別子セットからＰＬＭＮ識別子を選択するように構成されたネットワークコード選択モジュール５４０をさらに含み、この利用可能なＰＬＭＮ識別子セットは、ＲＰＬＭＮ情報、ＨＰＬＭＮ情報、ＵＰＬＭＮ情報、およびＯＰＬＭＮ情報からのＰＬＭＮ識別子を含む。
【０１０５】
ネットワークコード選択モジュール５４０は、以下の優先順位、すなわち、ＲＰＬＭＮ情報−＞ＨＰＬＭＮ−＞情報−＞ＵＰＬＭＮ情報−＞ＯＰＬＭＮ情報に従って、前述の種類の情報のすべてからＰＬＭＮ識別子を選択する。最も理想的な登録成功率および登録時間のために、それを用いてユーザ機器が最後の電源切断の前に登録されるＰＬＭＮ識別子として、ＲＰＬＭＮ情報中のＰＬＭＮ識別子は、最も高い優先度を持つことが指摘されるべきである。
【０１０６】
具体的には、電源投入後、ネットワークコード選択モジュール５４０が、前述の優先順位に従ってＰＬＭＮ識別子を選択し、次いで、要求メッセージ送信モジュール５１０が、ＰＬＭＮ＿１を担持するロケーション更新要求メッセージをモバイルスイッチングセンタに送信する。
【０１０７】
さらに、任意選択で、図５を参照すると、図５に示されるように、本発明のこの実施形態におけるユーザ機器は、ロケーション更新要求メッセージに従ってモバイルスイッチングセンタによって返されるロケーション更新拒否情報が取得される場合、利用可能なＰＬＭＮ識別子セットから別のＰＬＭＮ識別子を再選択するように構成されたネットワークコード再選択モジュール５５０をさらに含み、要求メッセージ送信モジュール５１０は、再選択されたＰＬＭＮ識別子を担持するロケーション更新要求メッセージの、モバイルスイッチングセンタへの送信を実施するようにさらに構成される。
【０１０８】
ロケーション更新拒否情報の受信は、現在登録に使用されるＰＬＭＮ識別子（ＰＬＭＮ＿１など）は無効であり、ユーザ機器がモバイル通信ネットワークにアクセスすることを可能にすることができないことを示す。たとえば、ネットワーク輻輳が、ＰＬＭＮ＿１に対応するモバイルスイッチングセンタにおいて起こる。
【０１０９】
具体的には、無効なＰＬＭＮ識別子（ＰＬＭＮ＿１など）が除外された後、ネットワークコード再選択モジュール５５０は、利用可能なＰＬＭＮ識別子セットから別のＰＬＭＮ識別子を再選択し、要求メッセージ送信モジュール５１０をトリガして、別のＰＬＭＮ識別子を担持するロケーション更新要求メッセージをモバイルスイッチングセンタに送信し、登録を再度実行する。
【０１１０】
任意選択で、ネットワークコード再選択モジュール５５０は依然として、以下の優先順位、すなわち、「ＲＰＬＭＮ情報−＞ＨＰＬＭＮ−＞情報−＞ＵＰＬＭＮ情報−＞ＯＰＬＭＮ情報」に従って、別のＰＬＭＮ識別子を選択する。たとえば、ＰＬＭＮ＿１は、ＲＰＬＭＮ情報から選択されたＰＬＭＮ識別子であり、それは、前述のステップが実行された後、ＰＬＭＮ＿１が無効であると決定し、ユーザ機器が、ＨＰＬＭＮ情報からＰＬＭＮ＿２などのＰＬＭＮ識別子を選択することが想定される。前述のステップが実行された後、ＰＬＭＮ＿２も無効であることが決定された場合、ユーザ機器は、ＵＰＬＭＮ情報からＰＬＭＮ＿３などのＰＬＭＮ識別子を選択し、以下同様である。
【０１１１】
図６は、本発明の実施形態による別の種類のユーザ機器の概略的な構造図である。図６に示されるように、ユーザ機器は、ＣＰＵなどの少なくとも１つのプロセッサ６０１と、少なくとも１つの無線信号送受信装置６０３と、メモリ６０４と、少なくとも１つの通信バス６０２とを含む。通信バス６０２は、構成要素間の接続通信を実施するように構成される。本発明のこの実施形態では、ユーザ機器の無線信号送受信装置６０３は、別のノードデバイスとのシグナリングまたはデータ通信を実行するように構成されたアンテナ装置を含む。メモリ６０４は、高速ＲＡＭメモリであってもよいし、少なくとも１つの磁気ディスクメモリなどの不揮発性メモリであってもよい。任意選択で、メモリ６０４はさらに、前述のプロセッサ６０１から遠く離れて配置された少なくとも１つの記憶装置であってよい。プログラムコードのセットがメモリ６０４に記憶され、プロセッサ６０１は、メモリに記憶されたプログラムコードを起動して、以下の動作、すなわち、
ＰＬＭＮ識別子を担持するロケーション更新要求メッセージをモバイルスイッチングセンタに送信することと、
ロケーション更新要求メッセージに従ってモバイルスイッチングセンタによって返されるＴＭＳＩ再割り当てコマンドが取得された後、ロケーション更新要求メッセージに従ってモバイルスイッチングセンタによって返されるロケーション更新受理情報が現在取得されているかどうかを決定することと、
ロケーション更新受理情報が取得された場合、ＲＰＬＭＮ情報に対してＰＬＭＮ識別子を更新すること、または、ロケーション更新受理情報が取得されなかった場合、ＲＰＬＭＮ情報に対してＰＬＭＮ識別子を更新する動作をスキップすることであって、この動作はＴＭＳＩ再割り当てコマンドによってトリガされる、スキップすることと
を実行するように構成される。
【０１１２】
任意選択で、プロセッサ６０１が、ＰＬＭＮ識別子を担持するロケーション更新要求メッセージをモバイルスイッチングセンタに送信する前、動作は、
利用可能なＰＬＭＮ識別子セットからＰＬＭＮ識別子を選択すること
をさらに含み、
利用可能なＰＬＭＮ識別子セットは、ＲＰＬＭＮ情報、ホーム公衆ランドモバイルネットワークＨＰＬＭＮ情報、ユーザにより選択された公衆ランドモバイルネットワークＵＰＬＭＮ情報、およびオペレータにより提供された公衆ランドモバイルネットワークＯＰＬＭＮ情報に個別に含まれるＰＬＭＮ識別子を含む。
【０１１３】
さらに、プロセッサ６０１は、以下の優先順位、すなわち、ＲＰＬＭＮ情報中のＰＬＭＮ識別子、ＨＰＬＭＮ情報中のＰＬＭＮ識別子、ＵＰＬＭＮ情報中のＰＬＭＮ識別子、およびＯＰＬＭＮ情報中のＰＬＭＮ識別子に従って、利用可能なＰＬＭＮ識別子セットからＰＬＭＮ識別子を順次選択する。
【０１１４】
さらに、任意選択で、プロセッサ６０１が、ＰＬＭＮ識別子を担持するロケーション更新要求メッセージをモバイルスイッチングセンタに送信した後、動作は、
ロケーション更新要求メッセージに従ってモバイルスイッチングセンタによって返されるロケーション更新拒否情報が取得される場合、利用可能なＰＬＭＮ識別子セットから別のＰＬＭＮ識別子を再選択し、再選択されたＰＬＭＮ識別子を担持するロケーション更新要求メッセージの、モバイルスイッチングセンタへの送信を実施すること
をさらに含む。
【０１１５】
さらに、任意選択で、プロセッサ６０１が、ロケーション更新要求メッセージに従ってモバイルスイッチングセンタによって返されたロケーション更新拒否情報を取得した後、動作は、
ＰＬＭＮ識別子と同じＰＬＭＮ識別子がＲＰＬＭＮ情報に記録されているかどうかを決定することと、
ＰＬＭＮ識別子と同じＰＬＭＮ識別子がＲＰＬＭＮ情報に記録されている場合、ＲＰＬＭＮ情報からＰＬＭＮ識別子を削除することと
をさらに含む。
【０１１６】
さらに、任意選択で、ＴＭＳＩ再割り当てコマンドはＰＬＭＮ識別子を担持するので、プロセッサ６０１がＲＰＬＭＮ情報に対してＰＬＭＮ識別子を更新することは、具体的には、
ＲＰＬＭＮ情報に対して、ＴＭＳＩ再割り当てコマンド内に担持されるＰＬＭＮ識別子を更新することである。
【０１１７】
本発明の実施形態は、コンピュータ記憶媒体をさらに提案し、プログラムは、このコンピュータ記憶媒体に記憶され、実行されるとき、プログラムは、本発明のこの実施形態において図１、図２、および図４を参照しながら説明されるＲＰＬＭＮ情報を更新するための方法のステップの一部またはすべてを実施する。
【０１１８】
本発明の実施形態は、別のコンピュータ記憶媒体をさらに提案し、プログラムは、このコンピュータ記憶媒体に記憶され、実行されるとき、プログラムは、本発明のこの実施形態において図３を参照しながら説明される無効なＰＬＭＮ識別子を処理するための方法のステップの一部またはすべてを実施する。
【０１１９】
本発明のこの実施形態では、ユーザ機器は、ロケーション更新要求メッセージに従ってモバイルスイッチングセンタによって返されたＴＭＳＩ再割り当てコマンドが取得されるとき、一時的にＲＰＬＭＮ情報を更新せず、モバイルスイッチングセンタによって返されたロケーション更新要求受理情報が受信されることが決定された後、ＲＰＬＭＮ情報を更新する。これは、モバイルネットワークにユーザ機器を登録する効率を改善することができ、ユーザ機器がＲＰＬＭＮ情報に対して無効なＰＬＭＮ識別子を更新するのを防止し、それによって、ユーザ機器の電源が投入された後にモバイルネットワークにユーザ機器を接続する速度を速め、ユーザエクスペリエンスを改善することもできる。
【０１２０】
当業者は、実施形態における方法のプロセスのすべてまたはいくつかが、関連ハードウェアに命令するコンピュータプログラムによって実施されることを理解する。プログラムは、コンピュータ可読記憶媒体に記憶される。プログラムが実行されるとき、実施形態における方法のプロセスが実行される。前述の記憶媒体は、磁気ディスク、光ディスク、読み出し専用メモリ（ＲＯＭ）、またはランダムアクセスメモリ（ＲＡＭ）を含む。
【０１２１】
上記で開示されたものは本発明の例示的な実施形態にすぎず、本発明の保護範囲を制限することを意図するものではないことは間違いない。したがって、本発明の特許請求の範囲によりなされる等価な変形は、本発明の範囲に含まれるものとする。
【図１】
0006367975.tif 000002
【図２】
0006367975.tif 000003
【図３】
0006367975.tif 000004
【図４】
0006367975.tif 000005
【図５】
0006367975.tif 000006
【図６】
0006367975.tif 000007